(57)【要約】【課題】意図したＵＳＢ機器とアイコン画像またはボリュームラベルとの関係をわかりやすくできるようにする。【解決手段】通信装置（１００）は、外部装置と接続可能な接続手段と、記録媒体を読み書きするためのアクセス手段と、第１の所定データが前記記録媒体に記録されているか否かを判定する第１の判定手段と、前記記録媒体に前記第１の所定データを記録する記録手段とを有し、前記第１の判定手段で前記第１の所定データが前記記録媒体に記録されていないと判定した場合は、前記記録手段が前記記録媒体に前記第１の所定データを記録する。【選択図】図３
2017083926.tif 000002
【特許請求の範囲】
【請求項１】
外部装置と接続可能な接続手段と、
記録媒体を読み書きするためのアクセス手段と、
第１の所定データが前記記録媒体に記録されているか否かを判定する第１の判定手段と、
前記記録媒体に前記第１の所定データを記録する記録手段と
を有し、
前記第１の判定手段で前記第１の所定データが前記記録媒体に記録されていないと判定した場合は、前記記録手段が前記記録媒体に前記第１の所定データを記録することを特徴とする通信装置。
【請求項２】
前記記録媒体に第２の所定データが記録されているか否かを判定する第２の判定手段と、
前記記録媒体に記録されている前記第２の所定データを、前記第１の所定データに変更する変更手段と
を有し、
前記第１の判定手段と前記第２の判定手段の結果、前記第１の所定データが記録されてなく、且つ前記第２の所定データが記録されていると判定した場合には、前記変更手段で前記第２の所定データを、前記第１の所定データに変更することを特徴とする請求項１に記載の通信装置。
【請求項３】
前記外部装置に対して前記記録媒体へのアクセスを許可する許可手段を有し、
前記許可手段でアクセスを許可する前に、前記記録手段は、前記記録媒体に前記第１の所定データを記録し、前記変更手段は、前記第２の所定データを前記第１の所定データに変更することを特徴とする請求項１又は請求項２に記載の通信装置。
【請求項４】
前記通信装置から取り外し可能な前記記録媒体に対して、前記記録媒体を取り外し可能な状態にする取り外し手段と、
前記記録媒体から前記第１の所定データを削除する削除手段と
を有し、
前記取り外し手段で取り外し可能な状態にした前記記録媒体に対して、前記第１の判定手段で前記第１の所定データが記録されていると判定した場合に、前記削除手段で前記第１の所定データを削除することを特徴とする請求項１乃至請求項３の何れか一項に記載の通信装置。
【請求項５】
前記通信装置から取り外し可能な前記記録媒体に対して、前記通信装置から前記記録媒体を取り外し可能な状態にする取り外し手段と、
前記記録媒体に記録されている前記第１の所定データを、前記第２の所定データに変更する第２の変更手段と
を有し、
前記取り外し手段で取り外し可能な状態にした前記記録媒体に対して、前記第１の判定手段で前記第１の所定データが記録されていると判定した場合に、前記変更手段で前記第１の所定データを前記第２の所定データに変更することを特徴とする請求項１乃至請求項３の何れか一項に記載の通信装置。
【請求項６】
前記取り外し手段で前記記録媒体を取り外し可能な状態にした後に、前記削除手段は前記記録媒体に前記第１の所定データを記録し、
前記第２の変更手段は、前記第１の所定データを前記第２の所定データに変更することを特徴とする請求項４又は請求項５に記載の通信装置。
【請求項７】
前記第１の所定データは、前記外部装置において前記通信装置を示すアイコンを、任意の画像で表示させるために必要なファイル群であり、
前記第２の所定データとは、前記外部装置において前記通信装置を示すアイコンを、所定データの場合とは異なる画像で表示させるように意図したファイル群であることを特徴とする請求項１乃至請求項６の何れか一項に記載の通信装置。
【請求項８】
前記第１の所定データは、前記外部装置において前記通信装置を示すアイコンと共に表示される名称を、任意の文字列で表示させるために必要なデータであり、
前記第２の所定データとは、前記外部装置において前記通信装置を示すアイコンと共に表示される名称を、所定データの場合とは異なる文字列で表示させるために必要なデータであることを特徴とする請求項１乃至請求項６の何れか一項に記載の通信装置。
【発明の詳細な説明】
【技術分野】
【０００１】
本発明は、コンピュータ等の外部装置と通信可能な通信装置に関する。
【背景技術】
【０００２】
近年、パーソナルコンピュータ（以下、ＰＣ）に接続する外部記録装置として、外付けハードディスクドライブ（以下、外付けＨＤＤ）又はメモリカードリーダーライター（以下、カードリーダー）が一般的に使用されている。これら外部記録装置とＰＣとの接続は、ＵＳＢ（Ｕｎｉｖｅｒｓａｌ  Ｓｅｒｉａｌ  Ｂｕｓ）を用いるものが一般的で、そのプロトコルにはマスストレージクラスが使用されている。
【０００３】
また、最近のデジタルカメラは、メモリカードに撮影動画を記録するものが普及してきている。こういったデジタルカメラはＵＳＢを搭載しており、ＰＣに接続してカードリーダー同様に使用することができる(特許文献１参照)。そして、デジタルカメラのＵＳＢもまた、マスストレージクラスのプロトコルを使用する。
【０００４】
マスストレージのＵＳＢ機器をＰＣと接続すると、ＰＣ上では「ローカルディスク」或いは「リムーバブルディスク」として認識され、それぞれに対応したデザインのアイコンがＰＣ上に表示される。複数の記録媒体を接続可能なＵＳＢ機器は、複数のアイコンが表示されるものが一般的である。
【０００５】
また、ＰＣは、マスストレージのＵＳＢ機器を認識すると、記録媒体を読み込み、ファイルフォーマットを特定する。そしてＰＣは、ファイルフォーマットで規定されているボリュームラベル領域に記録されている文字列を、各アイコンと共に表示する。よって、記録媒体のファイルフォーマットをＰＣが認識できない場合や、ボリュームラベル領域に文字列が記録されていない場合は、「ローカルディスク」或いは「リムーバブルディスク」とＰＣ上で表示される。また、カードリーダーにメモリカードが接続されていない（＝ＵＳＢ機器に記録媒体自体がない）場合も同様である。
【先行技術文献】
【特許文献】
【０００６】
【特許文献１】特開２００２−３５９８１０号公報
【発明の概要】
【発明が解決しようとする課題】
【０００７】
例えば、ＰＣに複数のＵＳＢマスストレージ機器を接続した場合、同じアイコンが複数ＰＣ上に表示されることになり、アイコンとＵＳＢ機器の関係をユーザが見分けることが難しくなる。
【０００８】
また、カードリーダーのように記録媒体を取り外のすことができるＵＳＢ機器では、アイコン情報を記録した記録媒体を入れ替えることができてしまう。この場合、ＵＳＢ機器とアイコンの関係が間違った状態になるので、ユーザは、意図したＵＳＢ機器と違うアイコンに対して操作することになり、一層使いづらくなってしまう課題がある。
【０００９】
さらに、ファイルシステム内のボリュームラベル領域をＵＳＢ機器を示す文字列にすることで、アイコンとＵＳＢ機器の関係を明確にすることもできる。しかしながら、記録媒体を入れ替えることができるＵＳＢ機器においては、ボリュームラベルとＵＳＢ機器との関係が間違った状態になるという課題が、アイコンと同様に存在する。
【００１０】
そこで、本発明は、意図したＵＳＢ機器とアイコン画像またはボリュームラベルとの関係をわかりやすくできるようにすることを目的とする。
【課題を解決するための手段】
【００１１】
上記の目的を達成するために、本発明に係る通信装置は、
外部装置と接続可能な接続手段と、記録媒体を読み書きするためのアクセス手段と、第１の所定データが前記記録媒体に記録されているか否かを判定する第１の判定手段と、前記記録媒体に前記第１の所定データを記録する記録手段とを有し、前記第１の判定手段で前記第１の所定データが前記記録媒体に記録されていないと判定した場合は、前記記録手段が前記記録媒体に前記第１の所定データを記録することを特徴とする。
【発明の効果】
【００１２】
本発明に係る通信装置によれば、意図したＵＳＢ機器とアイコン画像またはボリュームラベルとの関係をわかりやすくすることができる。
【図面の簡単な説明】
【００１３】
【図１】実施形態１における通信装置１００の外観の一例を示す図である。
【図２】実施形態１における通信装置１００が有する複数の構成要素を説明するためのブロック図である。
【図３】実施形態１における通信装置１００の動作の一例を説明するためのフローチャートを示す図である。
【図４】実施形態１における通信装置１００の動作の一例を説明するためのフローチャートを示す図である。
【図５】実施形態１における通信装置１００の動作の一例を説明するためのフローチャートを示す図である。
【図６】実施形態１における通信装置１００の動作の一例を説明するためのフローチャートを示す図である。
【図７】実施形態１におけるアイコン指定ファイルのフォルダ構成の一例を示す図である。
【図８】実施形態１における「ＡＵＴＯＲＵＮ．ＩＮＦ」の記載の一例を示す図である。
【図９】実施形態１における「ＡＵＴＯＲＵＮ．ＩＮＦ」の記載の一例を示す図である。
【図１０】実施形態１におけるアイコン指定ファイルのフォルダ構成の一例を示す図である。
【図１１】実施形態１における「ＡＵＴＯＲＵＮ．ＩＮＦ」の記載の一例を示す図である。
【図１２】実施形態１における「ＡＵＴＯＲＵＮ．ＩＮＦ」の記載の一例を示す図である。
【発明を実施するための形態】
【００１４】
以下、図面を参照して本発明の実施形態を説明する。ただし、本発明は以下の実施形態に限定されるものではない。
【００１５】
［実施形態１］
図１は実施形態１における通信装置１００の外観の一例を示す図である。
【００１６】
図１において、表示部２８は、画像や各種情報を表示する表示部である。シャッターボタン６１は、撮影指示を行うための操作部である。モードダイヤル６０は、各種モードを切り替えるための操作部である。コネクタ１１２は、接続ケーブル１１１と通信装置１００とのコネクタである。操作部７０は、ユーザからの各種操作を受け付ける各種スイッチ、ボタン、タッチパネル等の操作部材より成る操作部である。コントローラホイール７３は、操作部７０に含まれる回転操作可能な操作部材である。
【００１７】
電源スイッチ７２は、電源オンまたは電源オフを切り替える。記録媒体２００は、メモリカードまたはハードディスクなどを有する記録媒体である。記録媒体スロット２０１は、記録媒体２００を格納するためのスロットである。記録媒体スロット２０１に格納された記録媒体２００は、通信装置１００との通信が可能となる。蓋２０２は、記録媒体スロット２０１の蓋である。
【００１８】
図２は実施形態１における通信装置１００が有する複数の構成要素を説明するためのブロック図である。実施形態１では、例えば、通信装置１００がデジタルカメラである場合を説明する。
【００１９】
図２において、１０３はフォーカスレンズを含む撮影レンズ、１０１は絞り機能を有するシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換するために用いられる。１０２はバリアであり、通信装置１００の、撮影レンズ１０３を含む撮像部を覆うことにより、撮影レンズ１０３、シャッター１０１、撮像部２２を含む撮像系の汚れや破損を防止する。
【００２０】
２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。
【００２１】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を有する。
【００２３】
また、メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換部１３においてアナログ変換し、表示部２８に逐次転送して表示することで、電子ビューファインダ（スルー画像表示）として機能する。
【００２４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、実施形態１にて後述する各種フローチャートを実行するためのプログラムのことである。
【００２５】
５０はシステム制御部であり、通信装置１００全体を制御する。前述した不揮発性メモリ５６に記録されたプログラムを実行することで、後述する実施形態１の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。システムタイマー５３は各種制御に用いる時間や、内蔵された時計の時間を計測する計時部である。
【００２６】
モード切替スイッチ６０、第１シャッタースイッチ６１、第２シャッタースイッチ６２、操作部７０はシステム制御部５０に各種の動作指示を入力するための操作手段である。
【００２７】
モード切替スイッチ６０は、システム制御部５０の動作モードを静止画記録モード、動画記録モード、再生モード等のいずれかに切り替える。第１シャッタースイッチ６１は、通信装置１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２８】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２９】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、画像輪郭強調ボタン、フォーカス位置拡大ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００３０】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、システム制御部５０は、このパルス信号に基づいて、通信装置１００の各構成要素を制御する。このパルス信号によって、コントローラホイール７３が回転操作された角度や、何回転したかなどを判定することができる。
【００３１】
なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００３２】
８０は電源制御部であり、電池検出回路、ＤＣ−ＤＣコンバータ、通電するブロックを切り替えるスイッチ回路等により構成され、電池の接続の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む複数の構成要素に供給する。
【００３３】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、メモリカード等の記録媒体であり、半導体メモリや磁気ディスク等から構成される。１９は不揮発性の内蔵記録媒体であり、半導体メモリや磁気ディスク等から構成される。１１２はＰＣ（パーソナルコンピュータ）２１０と接続するためのコネクタである。ＰＣ２１０は、外部装置の一例である。
【００３４】
以下、図３〜図１２を参照し、実施形態１における通信装置１００の動作を説明する。なお、実施形態１では、通信装置１００とＰＣ２１０との通信インターフェースにＨｉ−Ｓｐｅｅｄ  ＵＳＢを用いる例で説明する。よって接続ケーブル１１１はＵＳＢケーブルとする。また、ＵＳＢにおけるクラスはマスストレージクラスを、プロトコルはＳＣＳＩコマンドセットを用いる。
【００３５】
また、実施形態１では、取り外し可能な記録媒体２００を、メモリカードとする。ただし、実施形態１において、取り外し可能な記録媒体２００は、メモリカードに限定するものではない。また、図３〜図６のフローチャートを参照して説明する処理は、システム制御部５０が不揮発性メモリ５６に格納されたプログラムを実行することにより実現される。
【００３６】
図３は通信装置１００とＰＣ２１０とをＵＳＢケーブル１１１で接続される場合における通信装置１００の動作の一例を説明するためのフローチャートである。
【００３７】
ステップＳ３０１は、通信装置１００とＰＣ２１０とをＵＳＢケーブル１１１で接続したことを示す。ケーブル接続の具体的な検出方法は、ＵＳＢホストであるＰＣ２１０が出力するＵＳＢのＶＢＵＳ信号のハイレベル検出で行う。ただし、接続ケーブル接続の検出方法は、これに限定するものではない。
【００３８】
ステップＳ３０２は、通信装置１００の記録媒体である、内蔵記録媒体１９とメモリカードにアイコン指定ファイルがあるかを判定する。実施形態１におけるアイコン指定ファイルの例を、図７のフォルダ構成で示す。このフォルダ構成における「ＩＣＯＮ．ＩＣＯ」は、ＰＣ２１０上に表示させるための通信装置１００を示すアイコン画像ファイルである。また、「ＡＵＴＯＲＵＮ．ＩＮＦ」の記載内容を図８で示す。なお、実施形態１におけるアイコン指定方法は、これに限定するものではない。
【００３９】
アイコン指定ファイルが記録されていない記録媒体があれば、ステップＳ３０３へ遷移して、アイコン指定ファイルを生成（記録）して、全ての記録媒体にアイコン指定ファイルが記録されている状態にする。なお、アイコン指定ファイルは、記録媒体ごとに異なるアイコンを指定してもよい。その場合は、記録媒体ごとに、「．ＩＣＯ」ファイル名と、「ＡＵＴＯＲＵＮ．ＩＮＦ」内に記載される「．ＩＣＯ」ファイル名が異なることになる。そして、アイコン指定ファイルを生成したら、３０６へ遷移して通信を開始する。
【００４０】
全ての記録媒体にアイコン指定ファイルが記録されていれば、ステップＳ３０４へ遷移して、全ての記録媒体に記録されているアイコン指定ファイルの内容が正しいかを判定する。ここでの判定は、ＰＣ２１０にとって有効な、正しいアイコン指定ファイルであるかを判定する。
【００４１】
アイコン指定ファイルが正しくなければ、ステップＳ３０５へ遷移して、アイコン指定ファイルを記録媒体ごとに正しい状態に修正（記録）する。そして、アイコン指定ファイルを修正したら、３０６へ遷移して通信を開始する。３０６ではＵＳＢ通信を開始する。ＵＳＢ通信の開始は、ＵＳＢのＤ＋信号のプルアップをオンすることでＰＣ２１０がデジタルカメラとの接続を検出して、通信が開始される。
【００４２】
図４は通信装置１００とＰＣ２１０とをＵＳＢケーブル１１１で接続される場合に、ＵＳＢケーブル１１１を通信装置１００またはＰＣ２１０から抜かれた場合における通信装置１００の動作の一例を説明するためのフローチャートである。
【００４３】
ステップＳ４０１は、通信装置１００とＰＣ２１０とが通信中において、ＵＳＢケーブル１１１が通信装置１００またはＰＣ２１０から抜かれたことを示す。ＵＳＢケーブル１１１が抜かれたことの検出方法は、ＵＳＢホストであるＰＣ２１０が出力するＵＳＢのＶＢＵＳ信号のローレベル検出で行う。ただし、接続ケーブル抜きの検出方法は、これに限定するものではない。
【００４４】
ステップＳ４０２は、通信装置１００の全ての記録媒体に対して、通信によるＰＣ２１０からのアクセスを禁止する。具体的な処理としては、仮にＣＰ２１０から通信コマンドが発行されたとしても受信しないようにソフトウェア、及びハードウェア的に処理を行い、更にケーブルが再接続された場合に通信を開始しないよう、ＵＳＢ信号のＤ＋端子のプルアップをオフする。ステップＳ４０３では、通信装置１００に、メモリカードが接続されているかを判定する。メモリカードが接続されていなければ、ステップＳ４０６へ遷移して通信処理を終了する。
【００４５】
メモリカードが接続されていたら、ステップＳ４０４へ遷移して、メモリカードにアイコン指定ファイルが記録されているかを判定する。アイコン指定ファイルが記録されていなければ、ステップＳ４０６へ遷移して通信処理を終了する。
【００４６】
メモリカードにアイコン指定ファイルが記録されていたら、ステップＳ４０５へ遷移してアイコン指定を無効化する。無効化する例として図９の「ＡＵＴＯＲＵＮ．ＩＮＦ」に記載されているアイコン画像ファイル「ＩＣＯＮ．ＩＣＯ」のパスを無効化する方法で示す。パスの行の先頭に「；」セミコロンを追記することで、その後に記載されているパスが無効になり、ＰＣ２１０においてアイコン画像ファイル「ＩＣＯＮ．ＩＣＯ」が使用されなくなる。なお、上記例の他の無効化方法としては、アイコン指定ファイルを削除する方法もあり、実施形態１におけるアイコン指定の無効化方法は、上記例に限定するものではない。アイコン指定を無効化したら、ステップＳ４０６へ移行して、通信処理を終了する。
【００４７】
以上のように、実施形態１によれば、ＰＣ２１０において通信装置１００のアイコンを任意の画像として表示することができるので、通信装置１００とアイコンの関係が明確になり、ＰＣ２１０における操作性が向上する。更に、通信終了後メモリカードを他のカードリーダーに接続した場合でも、メモリカードのアイコン指定ファイルが無効になっているので、カードリーダーを通信装置１００と間違えることが防止できる。また、図３で説明したように、記録媒体ごとにアイコン画像を変更すれば、ＰＣ２１０において内蔵記録媒体１９と、メモリカードを見分けることが容易になり、更なる操作性の向上が可能になる。
【００４８】
なお、図３において、ステップＳ３０１はケーブル接続の検出としたが、通信装置１００のモードダイヤル６０の操作によって通信モードへの切り替えの検出や、電源スイッチ７２による電源オン検出、操作部７０による操作部材の操作検出をフローチャートの開始としても構わない。
【００４９】
また、図４において、ステップＳ４０１はケーブル１１１の抜き検出としたが、通信装置１００のモードダイヤル６０の操作によって通信モード以外への切り替えの検出や、電源スイッチ７２による電源オフ検出、操作部７０による操作部材の操作検出をフローチャートの開始としても構わない。
【００５０】
また、図３及び図４にて、アイコン指定ファイルを記録媒体に記録・無効化するとしたが、アイコン指定ファイルの代わりに、記録媒体のファイルフォーマットのボリュームラベルを任意の文字列に記録する構成としてもよい。例えば、例えばＦＡＴ（Ｆｉｌｅ  Ａｌｌｏｃａｔｉｏｎ  Ｔａｂｌｅ）におけるパーティション情報のボリュームラベルを、通信装置１００を示す文字列で記録する。
【００５１】
このように構成することで、通信装置１００と任意の文字列との関連がユーザにとって強くなり、ＰＣ２１０における操作性が向上する。更に、通信終了後メモリカードを他のカードリーダーに接続した場合でも、メモリカードのボリュームラベルが無効になっているので、カードリーダーを通信装置１００と間違えることが防止できる。なお、ボリュームラベルを無効化する方法としては、ボリュームラベル領域の文字列データを消去する。また、各記録媒体のボリュームラベルを、さらに各記録媒体を示す文字列にすれば、ＰＣ２１０において内蔵記録媒体１９と、メモリカードを見分けることが容易になり、更なる操作性の向上が可能になる。
【００５２】
図５は通信装置１００とＰＣ２１０とがＵＳＢケーブル１１１で接続されている状態で、メモリカードが通信装置１００に接続された場合における通信装置１００の動作の一例を説明するためのフローチャートである。
【００５３】
ステップＳ５０１は、通信装置１００へメモリカードを接続したことを検出する。具体的な検出方法としては、メモリカード検出スイッチの検出結果によって処理を開始する。
【００５４】
ステップＳ５０２では、接続されたメモリカードに、専用アイコン指定ファイルが記録されているかを判定する。実施形態１におけるアイコン指定ファイルの例を、図１０のフォルダ構成で示す。このフォルダ構成における「ＩＣＯＮ１．ＩＣＯ」は、通信装置１００に接続されたメモリカードを、ＰＣ２１０上で通信装置１００を示す専用アイコンとして表示させるための画像ファイルである。
【００５５】
一方、「ＩＣＯＮ２．ＩＣＯ」は、通信装置１００以外のカードリーダー等の通信機器に接続されたメモリカードを、ＰＣ２１０上で表示させるための一般アイコンの画像ファイルである。そして専用アイコンを指定する「ＡＵＴＯＲＵＮ．ＩＮＦ」の記載内容を、図１１で示す。なお、実施形態１におけるアイコン指定方法は、これに限定するものではない。
【００５６】
メモリカードに専用アイコン指定ファイルが記録されていなければ、ステップＳ５０３へ遷移して、メモリカードに一般アイコン指定ファイルがあるかを判定する。一般アイコンを指定する「ＡＵＴＯＲＵＮ．ＩＮＦ」の記載内容は、図１２に示す。なお、実施形態１におけるアイコン指定方法は、これに限定するものではない。メモリカードに専用／一般アイコン指定ファイルのどちらも記録されていなければ、ステップＳ５０４に遷移する。一般アイコン指定ファイルがある場合は、ステップＳ５０５に遷移する。ステップＳ５０４では、メモリカードに専用アイコン指定ファイルを生成（記録）して、ステップＳ５０６に遷移する。
【００５７】
ステップＳ５０５では、メモリカードに記録されている一般アイコン指定ファイルを、専用アイコン指定ファイルに変更（書き替え）する。具体的な変更方法は、「ＡＵＴＯＲＵＮ．ＩＮＦ」ファイルに記載されている一般アイコンのファイル名を、専用アイコンのファイル名に変更することで完了する。アイコン指定を変更したら、ステップＳ５０６へ遷移する。ステップＳ５０６では、ＰＣ２１０からメモリカードへのアクセスを許可する。例えば、ＰＣからのコマンドＴＥＳＴ＿ＵＮＩＴ＿ＲＥＡＤＹに対する応答をＮＯＴ＿ＲＥＡＤＹからＲＥＡＤＹに変更する。
【００５８】
図６は通信装置１００とＰＣ２１０とがＵＳＢケーブル１１１で接続されている状態で、メモリカードが通信装置１００から取り外される場合における通信装置１００の動作の一例を説明するための処理フローチャートである。
【００５９】
ステップＳ６０１は、蓋２０２が開いたことを検出して開始する。ステップＳ６０２は、ＰＣ２１０からメモリカードへのアクセスを禁止する。例えば、ＰＣからのコマンドＴＥＳＴ＿ＵＮＩＴ＿ＲＥＡＤＹに対する応答をＲＥＡＤＹからＮＯＴ＿ＲＥＡＤＹに変更する。
【００６０】
ステップＳ６０３は、アクセスを禁止した全ての記録媒体（メモリカード）が取り外し可能な記録媒体かどうかを判定する。ここでは、取り外し可能なメモリカードを例にしているため常にステップＳ６０４に遷移することになり、この判定は不要にも思えるが、後述するＰＣ２０１からの取り出し／取り外し操作の場合には、この判定が必要となる。仮に、取り外し可能な記録媒体が無ければ、ステップＳ６０８へ遷移する。
【００６１】
ステップＳ６０４では、メモリカードに専用アイコン指定ファイルが記録されているかを判定する。専用アイコン指定ファイルが無ければ、ステップＳ６０５に遷移する。専用アイコン指定ファイルがあれば、ステップＳ６０７に遷移する。ステップＳ６０５では、メモリカードに一般アイコン指定ファイルが記録されているかを判定する。一般アイコン指定ファイルが無ければ、ステップＳ６０６に遷移する。一般アイコン指定ファイルがあれば、ステップＳ６０８に遷移する。
【００６２】
ステップＳ６０６では、一般アイコン指定ファイルをメモリカードに生成（記録）する。ステップＳ６０７では、メモリカードに記録されている専用アイコン指定を、一般アイコン指定に変更（書き替え）する。具体的な変更方法は、「ＡＵＴＯＲＵＮ．ＩＮＦ」ファイルに記載されている専用アイコンのファイル名を、一般アイコンのファイル名に変更することで完了する。全ての処理が終わると、ステップＳ６０８へ遷移して、ＰＣ２１０と通信状態のまま、定常状態に移る。
【００６３】
以上のように、実施形態１によれば、ＰＣ２１０において通信装置１００に接続されたメモリカードを専用アイコンの画像として表示することができるので、メモリカードとアイコンの関係が明確になり、ＰＣ２１０における操作性が向上する。更に、通信装置１００から取り外したメモリカードを他のカードリーダーに接続した場合は、メモリカードのアイコン指定が一般アイコンになっているので、カードリーダーを通信装置１００と間違えることを防止できる。
【００６４】
また、メモリカードスロットが複数ある場合、スロットごとに各スロットを特徴づけた専用アイコン画像を使用すれば、ＰＣ２１０において複数のメモリカードを見分けることが容易になり、更なる操作性の向上が可能になる。
【００６５】
図６において、ステップＳ６０１は、蓋２０２の開き検出としたが、ＰＣ２１０でのメモリカードを指定した取り出し操作や、通信装置１００を指定した取り外し操作をした場合に発行されるコマンドＳＴＡＲＴ＿ＳＴＯＰ＿ＵＮＩＴの受信をフローチャートの開始としても構わない。
【００６６】
また、図５及び図６にて、専用アイコン指定を一般アイコン指定に変更するとしたが、アイコン指定ファイルの代わりに、メモリカードのファイルフォーマットのボリュームラベルを専用文字列から一般文字列に変更する構成としてもよい。専用文字列とは、通信装置１００を示す文字列であり、一般文字列は、その他のカードリーダー等であることを明示する文字列である。このように構成することで、通信装置１００とボリュームラベルの関連がユーザにとって強くなり、ＰＣ２１０における操作性が向上する。
【００６７】
更に、通信装置１００から取り外したメモリカードを他のカードリーダーに接続した場合は、メモリカードのボリュームラベルが一般文字列になっているので、カードリーダーを通信装置１００と間違えることが防止できる。また、メモリカードスロットが複数ある場合、スロットごとに各スロットを特徴づけたボリュームラベルを専用文字列にすれば、ＰＣ２１０において複数のメモリカードを見分けることが容易になり、更なる操作性の向上が可能になる。
【符号の説明】
【００６８】
２８  表示部、６０  モードダイヤル、６１  シャッターボタン、７０  操作部、
７３  コントローラホイール、１００  通信装置、１１１  接続ケーブル、
１１２  コネクタ
【図１】
2017083926.tif 000003
【図２】
2017083926.tif 000004
【図３】
2017083926.tif 000005
【図４】
2017083926.tif 000006
【図５】
2017083926.tif 000007
【図６】
2017083926.tif 000008
【図７】
2017083926.tif 000009
【図８】
2017083926.tif 000010
【図９】
2017083926.tif 000011
【図１０】
2017083926.tif 000012
【図１１】
2017083926.tif 000013
【図１２】
2017083926.tif 000014